(57)【要約】【課題】高画質な画像を投写すると共に、小型で光変調装置を適切に冷却できるプロジェクターを提供する。【解決手段】プロジェクターは、光変調装置５２と、光入射側端面４１Ｎｇを有し、入射する色光を合成する色合成光学装置４１と、光変調装置５２を保持する保持部６と、保持部６を遊嵌支持し、光入射側端面４１Ｎｇに取り付けられる支持部７と、保持部６と支持部７とを固定する接着剤と、光変調装置５２を冷却空気によって冷却する冷却装置と、を備える。支持部７は、光入射側端面４１Ｎｇに取り付けられるベース部７１０と、保持部６を遊嵌支持する第１支持部７１１と、Ｚ方向に直交し、かつ、光入射側端面４１Ｎｇに沿うＹ方向において、光変調装置５２に対して両側に設けられた一対の開口部７１２ａと、を有し、冷却空気は、冷却装置によって、一対の開口部７１２ａのうちの一方の開口部から他方の開口部に流通する。【選択図】図３
2018017961.tif 000002
【特許請求の範囲】
【請求項１】
複数の色光を色光毎に変調する複数の光変調装置と、
変調された前記複数の色光がそれぞれ入射する複数の光入射側端面を有し、入射する前記複数の色光を合成する色合成光学装置と、
前記複数の光変調装置をそれぞれ保持する複数の保持部と、
前記複数の保持部をそれぞれ遊嵌支持し、前記複数の光入射側端面に個別に取り付けられる複数の支持部と、
前記保持部と当該保持部を遊嵌支持する前記支持部とを固定する固定部材と、
前記複数の光変調装置を冷却空気によって冷却する冷却装置と、
を備え、
前記支持部は、
前記光入射側端面に取り付けられるベース部と、
前記ベース部から延出し、前記保持部を遊嵌支持する第１支持部と、
前記複数の光入射側端面のうち、互いに隣り合う２つの前記光入射側端面に沿う第１方向に直交し、かつ、当該支持部が取り付けられる前記光入射側端面に沿う第２方向において、前記光変調装置に対して両側に設けられた一対の開口部と、
を有し、
前記冷却空気は、前記冷却装置によって、前記一対の開口部のうちの一方の開口部から他方の開口部に流通することを特徴とするプロジェクター。
【請求項２】
請求項１に記載のプロジェクターであって、
前記光変調装置と前記ベース部との間に配置された光学素子を備え、
前記支持部は、前記光学素子を支持する第２支持部を有し、
前記一対の開口部は、前記第２方向において、前記光学素子に対して両側に設けられていることを特徴とするプロジェクター。
【請求項３】
請求項１または請求項２に記載のプロジェクターであって、
前記支持部は、前記ベース部から延出し、前記第２方向において当該支持部が支持する前記保持部に保持された前記光変調装置に対して両側に配設された一対の延出部を有し、
前記一対の延出部それぞれには、前記開口部が形成されていることを特徴とするプロジェクター。
【請求項４】
請求項３に記載のプロジェクターであって、
前記支持部は、前記一方の開口部内に突出する突出部を有し、
前記突出部は、前記一方の開口部の前記色合成光学装置側とは反対側の縁部から前記色合成光学装置側に向かって突出し、前記光変調装置側に屈曲されていることを特徴とするプロジェクター。
【請求項５】
請求項４に記載のプロジェクターであって、
前記光変調装置と前記ベース部との間に配置された光学素子を備え、
前記一方の開口部は、前記第１方向および前記第２方向に直交する第３方向において、前記色合成光学装置から遠ざかる方向に順次併設された第１の開口部および第２の開口部を有し、
前記突出部は、前記第１の開口部の前記縁部から突出し、前記光学素子と前記光入射側端面との間に向かって屈曲していることを特徴とするプロジェクター。
【発明の詳細な説明】
【技術分野】
【０００１】
本発明は、プロジェクターに関する。
【背景技術】
【０００２】
従来、複数の色光を色光毎に変調する複数の光変調装置と、各光変調装置にて変調された色光を合成する色合成光学装置と、色合成光学装置にて合成された光を投写する投写レンズとを備えたプロジェクターが知られている。また、この光変調装置を冷却するための技術が提案されている（例えば、特許文献１参照）。
【０００３】
特許文献１に記載のプロジェクター（投写型表示装置）は、液晶パネルと、液晶パネルの光入射側、光射出側にそれぞれ配置された偏光子、検光子と、冷却ファンとを備えている。冷却ファンは、遠心ファンで構成され、液晶パネル、偏光子および検光子に併設するように配置されている。そして、特許文献１に記載のプロジェクターは、冷却ファンの駆動によって、３つの部材の隙間に空気を流通させ、３つの部材を冷却するように構成されている。
【先行技術文献】
【特許文献】
【０００４】
【特許文献１】特開２００１−１２５０５７号公報
【発明の概要】
【発明が解決しようとする課題】
【０００５】
しかしながら、特許文献１に記載の技術では、液晶パネル、偏光子および検光子に対して冷却ファンが併設される方向の大きさが増すため、プロジェクターが大型化するという課題がある。
また、特許文献１には、３色用の液晶パネルを配置するための構成については一切記載されておらず、液晶パネルを精度よく配置することが難しいと考えられる。すなわち、特許文献１に記載の技術では、近年望まれている高解像度の画像を投写するプロジェクターを提供することが難しいという課題がある。
【課題を解決するための手段】
【０００６】
本発明は、上述の課題の少なくとも一部を解決するためになされたものであり、以下の形態または適用例として実現することが可能である。
【０００７】
［適用例１］本適用例に係るプロジェクターは、複数の色光を色光毎に変調する複数の光変調装置と、変調された前記複数の色光がそれぞれ入射する複数の光入射側端面を有し、入射する前記複数の色光を合成する色合成光学装置と、前記複数の光変調装置をそれぞれ保持する複数の保持部と、前記複数の保持部をそれぞれ遊嵌支持し、前記複数の光入射側端面に個別に取り付けられる複数の支持部と、前記保持部と当該保持部を遊嵌支持する前記支持部とを固定する固定部材と、前記複数の光変調装置を冷却空気によって冷却する冷却装置と、を備え、前記支持部は、前記光入射側端面に取り付けられるベース部と、前記ベース部から延出し、前記保持部を遊嵌支持する第１支持部と、前記複数の光入射側端面のうち、互いに隣り合う２つの前記光入射側端面に沿う第１方向に直交し、かつ、当該支持部が取り付けられる前記光入射側端面に沿う第２方向において、前記光変調装置に対して両側に設けられた一対の開口部と、を有し、前記冷却空気は、前記冷却装置によって、前記一対の開口部のうちの一方の開口部から他方の開口部に流通することを特徴とする。
【０００８】
この構成によれば、プロジェクターは、光変調装置を保持する保持部、保持部を遊嵌支持し、光入射側端面に取り付けられる支持部、および保持部と支持部とを固定する固定部材を備えている。これによって、支持部に遊嵌支持された状態の保持部、すなわち光変調装置の位置を調整し、固定部材によってその位置を固定することができる。
また、支持部は、第２方向において、光変調装置に対して両側に一対の開口部を有し、冷却装置は、一対の開口部のうちの一方の開口部から他方の開口部に冷却空気を流通させる。これによって、冷却ファンから送風された空気を複数の光変調装置の側方から順に流通させ、光変調装置を冷却することができる。よって、第１方向における冷却装置の小型化、ひいてはプロジェクターの小型化を図りつつ、光変調装置の冷却が可能となる。
したがって、高画質な画像を投写すると共に、小型で光変調装置を適切に冷却できるプロジェクターの提供が可能となる。
【０００９】
［適用例２］上記適用例に係るプロジェクターにおいて、前記光変調装置と前記ベース部との間に配置された光学素子を備え、前記支持部は、前記光学素子を支持する第２支持部を有し、前記一対の開口部は、前記第２方向において、前記光学素子に対して両側に設けられていることが好ましい。
【００１０】
この構成によれば、光変調装置に加え、光学素子にも側方から冷却空気を流通させることができる。よって、光変調装置および光学素子を適切に冷却し、小型で光変調装置および光学素子を適切に冷却できるプロジェクターを提供することが可能となる。
【００１１】
［適用例３］上記適用例に係るプロジェクターにおいて、前記支持部は、前記ベース部から延出し、前記第２方向において当該支持部が支持する前記保持部に保持された前記光変調装置に対して両側に配設された一対の延出部を有し、前記一対の延出部それぞれには、前記開口部が形成されていることが好ましい。
【００１２】
この構成によれば、支持部は、第１支持部に加え、上述した延出部を有しているので、この延出部を用いて光変調装置をさらに精度良く配置することが可能となる。すなわち、遊嵌支持されている保持部と支持部との間の調整に加え、保持部が支持部に固定された状態で治具等によって延出部を移動させることで、光入射側端面に対する光変調装置の位置を調整することが可能となる。よって、光変調装置のさらなる微調整が可能なので、高解像度の画像を投写し、小型化が可能なプロジェクターを提供することができる。
【００１３】
［適用例４］上記適用例に係るプロジェクターにおいて、前記支持部は、前記一方の開口部内に突出する突出部を有し、前記突出部は、前記一方の開口部の前記色合成光学装置側とは反対側の縁部から前記色合成光学装置側に向かって突出し、前記光変調装置側に屈曲されていることが好ましい。
【００１４】
この構成によれば、支持部は、上述した突出部を有しているので、一方の開口部から流入した冷却空気の流れを変え、突出部の一方側に圧力が高まる領域（高圧力領域）を生じさせ、他方側に圧力が低くなる領域（低圧力領域）を生じさせることが可能となる。これによって、冷却空気は、低圧力領域側に引っ張られるため、より急角度で光変調装置や光学素子に送風される。よって、より効率良く光変調装置や光学素子を冷却することが可能となる。
【００１５】
［適用例５］上記適用例に係るプロジェクターにおいて、前記光変調装置と前記ベース部との間に配置された光学素子を備え、前記一方の開口部は、前記第１方向および前記第２方向に直交する第３方向において、前記色合成光学装置から遠ざかる方向に順次併設された第１の開口部および第２の開口部を有し、前記突出部は、前記第１の開口部の前記縁部から突出し、前記光学素子と前記光入射側端面との間に向かって屈曲していることが好ましい。
【００１６】
この構成によれば、冷却装置によって流通する冷却空気の一部は、第１の開口部から流入し、光学素子と光入射側端面との間を流れる。そして、この第１の開口部には突出部が突出しているので、突出部の光入射側端面側に高圧力領域が生じ、突出部の光学素子側に低圧力領域が生じる。これによって、第１の開口部から流入する冷却空気をより急角度で光学素子に送風させることが可能となる。よって、より効率良く光学素子を冷却することが可能となる。
【図面の簡単な説明】
【００１７】
【図１】第１実施形態のプロジェクターの概略構成を示す模式図。
【図２】第１実施形態の光学装置の斜視図。
【図３】第１実施形態の色合成光学装置および電気光学装置の分解斜視図。
【図４】第１実施形態の色合成光学装置および電気光学装置の分解斜視図。
【図５】第１実施形態の光学装置および冷却装置を示す斜視図であり、上方斜めから見た図。
【図６】第１実施形態の光学装置および冷却装置を示す平面図であり、下方から見た図。
【図７】第１実施形態の光学装置および冷却装置の断面斜視図。
【図８】第１実施形態の電気光学装置の断面斜視図。
【図９】第１実施形態の光学装置を−Ｙ側から見た平面図。
【図１０】第１実施形態の支持部用治具を説明するための模式図。
【図１１】第１実施形態の支持部用治具を説明するための模式図。
【図１２】第１実施形態の光学装置およびダクト部を上側から見た断面図。
【図１３】第２実施形態の電気光学装置の部分斜視図。
【図１４】第２実施形態の突出部の位置、および突出部による空気の流れを説明するための図。
【図１５】変形例の電気光学装置を示す斜視図。
【発明を実施するための形態】
【００１８】
（第１実施形態）
以下、本実施形態に係るプロジェクターについて、図面を参照して説明する。
本実施形態のプロジェクターは、光源から射出された光を画像情報に応じて変調してスクリーン等の投写面に拡大投写する。
図１は、本実施形態のプロジェクター１の概略構成を示す模式図である。
プロジェクター１は、図１に示すように、外装を構成する外装筐体２、制御部（図示省略）、光源装置３１を有する光学ユニット３、および冷却装置８を備えている。なお、図示は省略するが、外装筐体２の内部には、さらに、光源装置３１や制御部に電力を供給する電源装置等が配置されている。
【００１９】
外装筐体２は、詳細な説明は省略するが、合成樹脂製の部材等が複数組み合わされて構成されている。そして、外装筐体２には、外気を取り込むための吸気口、および外装筐体２内部の温まった空気を外部に排気する排気口（いずれも図示省略）等が設けられている。
【００２０】
制御部は、ＣＰＵ（Central Processing Unit）やＲＯＭ（Read Only Memory）、ＲＡＭ（Random Access Memory）等を備え、コンピューターとして機能するものであり、プロジェクター１の動作の制御、例えば、画像の投写に関わる制御等を行う。
【００２１】
〔光学ユニットの構成〕
光学ユニット３は、制御部による制御の下、光源装置３１から射出された光を光学的に処理して投写する。
光学ユニット３は、図１に示すように、光源装置３１に加え、インテグレーター照明光学系３２、色分離光学系３３、リレー光学系３４、光学装置４、投写光学装置としての投写レンズ３６、ヘッド体３７、およびこれらの部材を光路上の所定位置に配置する光学部品用筐体３８を備えている。なお、以下では、説明の便宜上、投写レンズ３６から光が射出される方向を＋Ｘ側（前側）、プロジェクター１が机上等に据え置かれた姿勢において、投写面ＳＣに対向する側から見たプロジェクター１の右側を＋Ｙ側、上側を＋Ｚ側として記載する。
【００２２】
光源装置３１は、超高圧水銀ランプやメタルハライドランプ等からなる放電型の光源３１１およびリフレクター３１２等を備え、光源３１１から射出された光をリフレクター３１２にて反射し、インテグレーター照明光学系３２に向けて射出する。
【００２３】
インテグレーター照明光学系３２は、第１レンズアレイ３２１、第２レンズアレイ３２２、偏光変換素子３２３、および重畳レンズ３２４を備える。第１レンズアレイ３２１、第２レンズアレイ３２２、および重畳レンズ３２４は、光源装置３１から射出された光を複数の部分光に分割し、この部分光を後述する液晶パネルの表面に略重畳させる。偏光変換素子３２３は、第２レンズアレイ３２２から射出されたランダム光を液晶パネルで利用可能な略１種類の偏光光に揃える。
【００２４】
色分離光学系３３は、２枚のダイクロイックミラー３３１，３３２、および反射ミラー３３３を備え、インテグレーター照明光学系３２から射出された光を赤色光（以下「Ｒ光」という）、緑色光（以下「Ｇ光」という）、青色光（以下「Ｂ光」という）の３色の色光に分離する機能を有する。
【００２５】
リレー光学系３４は、入射側レンズ３４１、リレーレンズ３４３、および反射ミラー３４２，３４４を備え、色分離光学系３３で分離されたＢ光をＢ光用の液晶パネルまで導く機能を有する。なお、光学ユニット３は、リレー光学系３４がＢ光を導く構成としているが、これに限らず、例えば、Ｒ光を導く構成としてもよい。
【００２６】
図２は、光学装置４の斜視図である。
光学装置４は、図１、図２に示すように、各色光用に設けられた電気光学装置５０（Ｒ光用の電気光学装置を５０Ｒ、Ｇ光用の電気光学装置を５０Ｇ、Ｂ光用の電気光学装置を５０Ｂとする）、および色合成光学装置４１を備える。
【００２７】
図３は、色合成光学装置４１および電気光学装置５０Ｇの分解斜視図である。図４は、色合成光学装置４１および電気光学装置５０Ｇの分解斜視図であり、図３の分解斜視図とは異なる方向から見た図である。
電気光学装置５０Ｇは、図１、図３、図４に示すように、入射側偏光板５１、光変調装置５２、射出側偏光板５４、保持部６、支持部７、および固定部材としての接着剤（図示省略）を備えている。なお、図１は、保持部６および支持部７を省略した図である。
電気光学装置５０Ｂ，５０Ｒは、電気光学装置５０Ｇと同様に、入射側偏光板５１、光変調装置５２、射出側偏光板５４、保持部６、支持部７、および接着剤を備えている。
【００２８】
入射側偏光板５１は、色分離光学系３３で分離された各色光のうち、偏光変換素子３２３で揃えられた偏光光を透過し、その偏光光と異なる偏光光を吸収して光変調装置５２に射出する。入射側偏光板５１は、ガラス板（図示省略）に貼り付けられる。そして、電気光学装置５０Ｂ，５０Ｇの入射側偏光板５１は、冷却装置８の後述するダクト部８２（図７参照）に配置され、電気光学装置５０Ｒの入射側偏光板５１は、光学部品用筐体３８に配置される。
【００２９】
光変調装置５２は、一対の透明基板に液晶が密閉封入された液晶パネル、液晶パネルの光入射側、光射出側それぞれに設けられた防塵ガラス、およびフレキシブル基板５２Ｆを備えている。すなわち、光変調装置５２は、光入射側の防塵ガラスの表面５２Ｎから光が入射し、光射出側の防塵ガラスの表面５２Ｓから光を射出する。
液晶パネルには、図示しない微小画素がマトリックス状に形成された矩形状の画素領域が形成されている。フレキシブル基板５２Ｆは、液晶パネルの上側端部に設けられた端子に接続されている。
【００３０】
光変調装置５２は、フレキシブル基板５２Ｆを介して制御部から入力された駆動信号に応じて液晶の配向状態が制御され、画素領域内に表示画像を形成する。そして、光変調装置５２は、入射側偏光板５１から射出された色光を画像情報に応じて変調する。
【００３１】
射出側偏光板５４は、入射側偏光板５１と略同様の機能を有し、光変調装置５２から射出された色光のうち一定方向の偏光光を透過し、その偏光光と異なる偏光光を吸収して色合成光学装置４１に射出する。射出側偏光板５４は、ガラス板５４Ｐに貼り付けられ（図４参照）、支持部７に固定される。ガラス板５４Ｐおよびガラス板５４Ｐに貼り付けられた射出側偏光板５４は、光学素子に相当する。
【００３２】
色合成光学装置４１は、図３、図４に示すように、クロスダイクロイックプリズム４１１、および３つの光透過基板４１２を備える。
クロスダイクロイックプリズム４１１は、４つの直角プリズムを貼り合わせた平面視略正方形状をなし、直角プリズム同士を貼り合わせた界面には、２つの誘電体多層膜が形成されている。クロスダイクロイックプリズム４１１は、３つの光透過基板４１２が個別に貼りつけられる３つの光入射側の端面（図示省略）、１つの光射出側端面４１Ｓ、および上面４１Ｕ（いずれも図３参照）を有している。
【００３３】
光透過基板４１２は、水晶等の熱伝導性の高い透明の板材で形成され、図３に示すように、クロスダイクロイックプリズム４１１の３つの光入射側の端面それぞれに接着固定される。光透過基板４１２は、支持部７を取り付けるために設けられており、上下方向のサイズがクロスダイクロイックプリズム４１１の光入射側の端面のサイズよりも大きい平面視矩形状に形成されている。
【００３４】
電気光学装置５０Ｒ，５０Ｇ，５０Ｂは、３つの光透過基板４１２それぞれに対向して配置される。具体的に、電気光学装置５０Ｇは、図３、図４に示すように、光射出側端面４１Ｓの反対側に設けられた光透過基板４１２に対向して配置される。そして、電気光学装置５０Ｂは、電気光学装置５０Ｇの−Ｙ側に設けられた光透過基板４１２に対向して配置され、電気光学装置５０Ｒは、電気光学装置５０Ｇの＋Ｙ側に設けられた光透過基板４１２に対向して配置される。電気光学装置５０Ｇが対向して配置される光透過基板４１２の表面を光入射側端面４１Ｎｇとする。そして、電気光学装置５０Ｂ，５０Ｒがそれぞれ対向して配置される光透過基板４１２の表面を光入射側端面４１Ｎｂ，４１Ｎｒとする。
【００３５】
色合成光学装置４１は、光入射側端面４１Ｎｒ，４１Ｎｇ，４１Ｎｂから入射する各色光を合成して光射出側端面４１Ｓから射出する。具体的に、色合成光学装置４１は、電気光学装置５０Ｒ，５０Ｂにて変調された色光を反射し、電気光学装置５０Ｇにて変調された色光を透過して、各色光を合成する。
【００３６】
このように、光入射側端面４１Ｎｂと光入射側端面４１Ｎｇとは、互いに隣り合って設けられている。そして、互いに隣り合う２つの光入射側端面４１Ｎｂ，４１Ｎｇに沿う第１方向は、本実施形態ではＺ方向、すなわちプロジェクター１の厚み方向となる。また、電気光学装置５０Ｂ，５０Ｒに注目すると、Ｚ方向（第１方向）に直交し、かつ、光入射側端面４１Ｎｂ，４１Ｎｒに沿う第２方向は、本実施形態では、Ｘ方向となる。そして、電気光学装置５０Ｇに注目すると、Ｚ方向（第１方向）に直交し、かつ、光入射側端面４１Ｎｇに沿う第２方向は、本実施形態では、Ｙ方向となる。
【００３７】
保持部６は、前述したように、電気光学装置５０Ｒ，５０Ｇ，５０Ｂそれぞれに設けられ、各光変調装置５２を保持する。
支持部７は、前述したように、電気光学装置５０Ｒ，５０Ｇ，５０Ｂそれぞれに設けられ、保持部６を支持する。電気光学装置５０Ｒの支持部７は、光入射側端面４１Ｎｒに取り付けられる。そして、電気光学装置５０Ｇ，５０Ｂの支持部７は、光入射側端面４１Ｎｇ，４１Ｎｂにそれぞれ取り付けられる。また、保持部６は、位置調整が可能に支持部７に遊嵌支持され、位置調整後に接着剤によって支持部７に固定される。保持部６、支持部７および保持部６の位置調整方法については、後で詳細に説明する。
【００３８】
投写レンズ３６は、複数のレンズ（図示省略）を有し、色合成光学装置４１にて合成された光をスクリーン上に拡大投写する。
【００３９】
ヘッド体３７は、光学装置４および投写レンズ３６を支持し、光学部品用筐体３８に取り付けられる。ヘッド体３７は、図１に示すように、クロスダイクロイックプリズム４１１の上面４１Ｕ（図２参照）に接着固定されたプリズム支持部３７１、および色合成光学装置４１の前方に位置するヘッド体本体３７２を備えている。そして、プリズム支持部３７１は、ヘッド体本体３７２にネジ固定される。
ヘッド体本体３７２は、色合成光学装置４１から射出された光が通過する光通過用開口部を有し、光学部品用筐体３８にねじ固定される。
【００４０】
〔冷却装置の構成〕
冷却装置８は、図１に示すように、冷却ファン８１およびダクト部８２を備え、光学装置４を冷却する。
図５は、光学装置４および冷却装置８を示す斜視図であり、上方斜めから見た図である。図６は、光学装置４および冷却装置８を示す平面図であり、下方から見た図である。
冷却ファン８１は、図５、図６に示すように、回転軸に沿って取り込んだ空気を回転接線方向に吐出するシロッコファンで構成され、図１に示すように、投写レンズ３６の側方（−Ｙ側）に配置されている。また、冷却ファン８１は、図５に示すように、吸気口８１１が上側を向き、送風口８１２が電気光学装置５０Ｂを向いて配置されている。
【００４１】
ダクト部８２は、冷却ファン８１から送風された冷却空気を電気光学装置５０Ｒ，５０Ｇ，５０Ｂに導く。
図７は、光学装置４および冷却装置８の断面斜視図である。
ダクト部８２は、複数の部材が組み合わされて構成され、図５〜図７に示すように、空気導入部８２１、第１流路形成部８２２、および第２流路形成部８２３を有している。
空気導入部８２１は、筒状に形成され、一端側が冷却ファン８１の送風口８１２を囲み、他端側が電気光学装置５０Ｂに向かって延出している。空気導入部８２１は、冷却ファン８１から送風された冷却空気を導入し、第１流路形成部８２２および第２流路形成部８２３に導く。
【００４２】
第１流路形成部８２２は、図７に示すように、色合成光学装置４１の光入射側端面４１Ｎｂ，４１Ｎｇの外側に設けられている。第１流路形成部８２２は、電気光学装置５０Ｂ，５０Ｇの入射側偏光板５１および色合成光学装置４１とで電気光学装置５０Ｂ，５０Ｇの光変調装置５２を囲み、第１流路１０Ｆを形成している。第１流路１０Ｆは、上方から見てＬ字状に形成され、Ｌ字状の一端側となる電気光学装置５０Ｂの＋Ｘ側が空気導入部８２１に連通し、Ｌ字状の他端側となる電気光学装置５０Ｇの＋Ｙ側に空気の排出口１０Ｆｅが設けられている。
【００４３】
第１流路形成部８２２は、図５〜図７に示すように、外周壁部８２２ａ、上壁部８２２ｂ、下壁部８２２ｃ、仕切り壁８２２ｄ、および整流部８２２ｅを有している。
外周壁部８２２ａは、電気光学装置５０Ｂ，５０Ｇにおける光変調装置５２の色合成光学装置４１とは反対側に設けられ、上下方向に延出している。また、外周壁部８２２ａには、電気光学装置５０Ｂ，５０Ｇの入射側偏光板５１によって閉塞される開口部が設けられている。そして、外周壁部８２２ａは、電気光学装置５０Ｂ，５０Ｇの入射側偏光板５１とで、第１流路形成部８２２の側壁を形成する。
上壁部８２２ｂは、第１流路形成部８２２の上側を形成する部位であり（図５参照）、電気光学装置５０Ｂ，５０Ｇのフレキシブル基板５２Ｆが挿通される挿通孔を有している。下壁部８２２ｃは、第１流路形成部８２２の下側を形成する（図６参照）。
【００４４】
仕切り壁８２２ｄは、図７に示すように、電気光学装置５０Ｇと電気光学装置５０Ｒとの間に設けられ、上下方向に延出している。また、外周壁部８２２ａは、＋Ｙ側の端部が仕切り壁８２２ｄと離間して形成されており、前述した排出口１０Ｆｅは、外周壁部８２２ａと仕切り壁８２２ｄとの間に形成されている。
整流部８２２ｅは、電気光学装置５０Ｂと電気光学装置５０Ｇとの間、すなわち、Ｌ字状の第１流路１０Ｆの屈曲する部位に設けられている。整流部８２２ｅは、外周壁部８２２ａから離間して上下方向に延出しており、外周壁部８２２ａの内面と略平行となる凸状の外面、および外面と反対側に形成された凹状の内面を有している。
【００４５】
第２流路形成部８２３は、空気導入部８２１から導入された冷却空気の一部を電気光学装置５０Ｒの下方に導く第２流路２０Ｆを形成している。第２流路形成部８２３は、図６、図７に示すように、空気導入部８２１に連通し、色合成光学装置４１の下方で、光射出側端面４１Ｓ寄りを経由して電気光学装置５０Ｒの下方まで延出している。すなわち、ダクト部８２は、第１流路形成部８２２の下壁部８２２ｃが、第２流路形成部８２３の下壁部８２３ａより上側に凹んで形成されている。
なお、図示は省略するが、プロジェクター１は、冷却装置８に加え、外装筐体２の排気口（図示省略）近傍に配置された排気ファンや、この排気ファンに空気を導くダクト部材等を備えている。
【００４６】
〔保持部および支持部の構成〕
図３、図４に戻って、保持部６および支持部７について詳細に説明する。
電気光学装置５０Ｒ，５０Ｇ，５０Ｂがそれぞれ備える保持部６および支持部７は、同一の形状を有しており、ここでは、電気光学装置５０Ｇに注目して説明する。なお、前述したように、Ｚ方向は、第１方向に相当する。そして、電気光学装置５０Ｇにおいては、Ｙ方向が第２方向に相当し、Ｚ方向（第１方向）およびＹ方向（第２方向）に直交するＸ方向は、第３方向に相当する。また、Ｘ方向は、電気光学装置５０Ｇが対向して配置される光入射側端面４１Ｎｇの法線方向となる。
【００４７】
図８は、電気光学装置５０Ｇの断面斜視図である。
保持部６は、図３、図４、図８に示すように、フレーム６１、第１固定板６２および第２固定板６３を備えている。
フレーム６１は、金属製であり、光変調装置５２を収納する。
フレーム６１は、平面視矩形状に形成され、光変調装置５２が色合成光学装置４１側（＋Ｘ側）から収納される凹部６１１（図８参照）を有している。また、フレーム６１の四隅には、Ｘ方向に貫通する貫通孔６１ｈが設けられている。四隅に設けられた貫通孔６１ｈのうち、上側に位置する２つの貫通孔６１ｈは、Ｚ方向がＹ方向より大きな縦長の孔であり、下側に位置する２つの貫通孔６１ｈは、Ｙ方向がＺ方向より大きな横長の孔である。
【００４８】
第１固定板６２は、板金からプレス加工により形成されており、フレーム６１の−Ｘ側に配置され、フレーム６１の側方に係止される。第１固定板６２には、入射側偏光板５１を透過した色光が通過する光通過用開口部６２１（図３参照）が形成されている。
【００４９】
第２固定板６３は、板金からプレス加工により形成されている。第２固定板６３は、光変調装置５２が収納されたフレーム６１に色合成光学装置４１側から係止され、フレーム６１とで光変調装置５２を挟持する。第２固定板６３には、光変調装置５２を透過した色光が通過する光通過用開口部６３１（図４参照）が設けられている。すなわち、光変調装置５２は、表面５２Ｎが光通過用開口部６２１（図３参照）から露出し、表面５２Ｓが光通過用開口部６３１（図４参照）から露出して配置される。
【００５０】
支持部７は、図３、図４に示すように、支持本体部７１および支持補助部７２を備える。
支持本体部７１は、板金からプレス加工により形成され、ベース部７１０、第１支持部７１１、および延出部７１２を有している。
ベース部７１０は、光入射側端面４１Ｎｇに取り付けられる部位であり、光透過基板４１２と略同等の大きさを有して平面視矩形に形成されている。ベース部７１０の中央には、射出側偏光板５４から射出された光が通過する光通過用開口部７１０ａが形成されている。また、ベース部７１０には、光通過用開口部７１０ａの上側に丸孔７１０ｈが設けられ、光通過用開口部７１０ａの下側にＵ字状の切欠き７１０ｎが設けられている。
【００５１】
第１支持部７１１は、ベース部７１０から延出し、保持部６を遊嵌支持する。すなわち、保持部６に保持されている光変調装置５２は、支持部７に対する位置調整が可能に構成されている。
第１支持部７１１は、図３、図４に示すように、ベース部７１０の四隅から保持部６側に略９０°屈曲されて形成されており、先端部が保持部６の貫通孔６１ｈに遊びがある状態、すなわち上下左右にガタツキがある状態で挿通される大きさに形成されている。より具体的に、第１支持部７１１は、ベース部７１０の上側から突出する一対の第１支持部７１１ｕ、およびベース部７１０の下側から突出する一対の第１支持部７１１ｄを有している。
【００５２】
一対の第１支持部７１１ｕは、Ｘ−Ｚ平面に沿うように屈曲されており、縦長の貫通孔６１ｈに挿通される。一対の第１支持部７１１ｄは、Ｘ−Ｙ平面に沿うように屈曲されており、横長の貫通孔６１ｈに挿通される。
【００５３】
延出部７１２は、図３、図４に示すように、ベース部７１０の左右両側から延出し、保持部６側に略９０°屈曲されて一対設けられている。
一対の延出部７１２は、図２に示すように、Ｙ方向（第２方向）において、光変調装置５２の両側に配設されている。
図９は、光学装置４を−Ｙ側から見た平面図である。
図９に示すように、各延出部７１２には、先端側（電気光学装置５０Ｇにおける支持部７の延出部７１２においては−Ｘ側）の中央部に突起部７１２Ｐが設けられ、ベース部７１０側に、光通過用開口部７１０ａ（図４参照）に繋がる開口部７１２ａが設けられている。すなわち、開口部７１２ａは、一対の延出部７１２それぞれに形成されている。
【００５４】
そして、突起部７１２Ｐには、切欠き７１２ｎが形成されている。
切欠き７１２ｎは、−Ｘ側に開口するＶ字状に形成されており、後述する支持部用治具１００（図１０参照）によって係止可能に形成されている。
開口部７１２ａは、図９に示すように、−Ｘ側の縁部が光変調装置５２の表面５２Ｓ（図４参照）より−Ｘ側に位置するように形成されている。
また、電気光学装置５０Ｇにおける支持部７の開口部７１２ａは、Ｚ方向（第１方向）に直交し、かつ、ベース部７１０が取り付けられる光入射側端面４１Ｎｇに沿うＹ方向（第２方向）において、光変調装置５２に対して両側に一対形成されている。
電気光学装置５０Ｂにおける支持部７の開口部７１２ａにおいても、Ｚ方向（第１方向）に直交し、かつ、ベース部７１０が取り付けられる光入射側端面４１Ｎｂに沿うＸ方向（第２方向）において、光変調装置５２に対して両側に一対形成されている。
【００５５】
支持補助部７２は、図８に示すように、射出側偏光板５４が貼り付けられたガラス板５４Ｐを保持し、支持本体部７１に取り付けられる。
支持補助部７２は、支持本体部７１の板厚より薄い板厚の板金からプレス加工により形成され、図３、図４に示すように、射出側偏光板５４から射出された光が通過する光通過用開口部７２ａが中央に設けられ、枠状に形成されている。支持補助部７２は、一対の延出部７１２の間に配置可能な大きさに形成され、図３に示すように、光通過用開口部７２ａの上下をそれぞれ形成する上枠部７２１、下枠部７２２、および光通過用開口部７２ａの左右を形成するサイド枠部７２３を有している。
【００５６】
上枠部７２１および下枠部７２２は、図８に示すように、支持本体部７１のベース部７１０に積層される部位である。そして、図３に示すように、上枠部７２１には、ベース部７１０の丸孔７１０ｈに対応する丸孔７２１ｈが形成され、下枠部７２２には、ベース部７１０の切欠き７１０ｎに対応するＵ字状の切欠き７２２ｎが形成されている。
【００５７】
サイド枠部７２３は、屈曲加工により、上枠部７２１および下枠部７２２より光変調装置５２側（−Ｘ側）に形成されている。
射出側偏光板５４が貼り付けられたガラス板５４Ｐは、治具（図示省略）に位置決めされ、図８に示すように、サイド枠部７２３に接着固定される。すなわち、ガラス板５４Ｐおよびガラス板５４Ｐに貼り付けられた射出側偏光板５４（光学素子）は、光変調装置５２とベース部７１０との間に配置される。サイド枠部７２３は、光学素子を支持する第２支持部に相当する。
【００５８】
ガラス板５４Ｐが固定された支持補助部７２は、丸孔７２１ｈ、切欠き７２２ｎ、およびベース部７１０の丸孔７１０ｈ、切欠き７１０ｎを利用して治具（図示省略）に位置決めされ、図８に示すように、上枠部７２１および下枠部７２２が支持本体部７１のベース部７１０に接着固定される。
【００５９】
射出側偏光板５４は、図８に示すように、上枠部７２１および下枠部７２２から離間して配置され、ガラス板５４Ｐは、保持部６から離間して配置されている。また、開口部７１２ａは、図９に示すように、光学素子に対して両側に一対設けられている。
このように、支持部７は、電気光学装置５０の側方から流入する空気、および下方から流入する空気が色合成光学装置４１と射出側偏光板５４との間、およびガラス板５４Ｐと保持部６（表面５２Ｓ）との間に流通するように形成されている。
【００６０】
〔光変調装置の位置調整方法〕
ここで、光変調装置５２の位置調整の方法について、電気光学装置５０Ｇに注目して説明する。
先ず、貫通孔６１ｈに第１支持部７１１を挿通し、光変調装置５２が保持されている保持部６を支持部７に遊嵌支持させる。保持部６が支持部７に遊嵌支持された状態（遊嵌状態）の保持部６および支持部７を調整ユニットという。
次に、第１支持部７１１と貫通孔６１ｈとの間、およびベース部７１０の光射出側（色合成光学装置４１側）の面に紫外線硬化型の接着剤（ＵＶ接着剤）を塗布する。調整ユニットは、ＵＶ接着剤が塗布された状態では、ＵＶ接着剤が硬化していないので、遊嵌状態が維持されている。
【００６１】
次に、保持部用治具（図示省略）および支持部用治具１００（図１０参照）を用いて、保持部６（光変調装置５２）の位置調整を行う。
ここで、保持部用治具および支持部用治具１００の概略構成について説明する。
保持部用治具は、保持部６の下側を把持可能な把持部を備えている。そして、把持部は、保持部６を把持した状態で、Ｘ方向、Ｙ方向に沿う軸を中心とする回転方向（Ｙθ方向）、およびＺ方向に沿う軸を中心とする回転方向（Ｚθ方向）に移動可能に構成されている。
【００６２】
図１０、図１１は、支持部用治具１００を説明するための模式図である。具体的に、図１０は、電気光学装置５０Ｇにおける支持部７の一方の突起部７１２Ｐ、および支持部用治具１００の一部を−Ｙ側から見た図、図１１は、図１０と同様の部材を＋Ｚ側から見た図である。
図１０、図１１に示すように、支持部用治具１００は、支持部７の一対の突起部７１２Ｐそれぞれに形成された切欠き７１２ｎに係合する一対の腕部１１０を備え、支持部７を移動できるように構成されている。
腕部１１０には、図１０、図１１に示すように、切欠き７１２ｎに係合可能なＶ字状の係合溝１１０ｍが形成されている。
係合溝１１０ｍは、Ｚ方向（上下方向）に貫通して形成されており、Ｙ方向に貫通する切欠き７１２ｎと、設定上、４点（図１０、図１１における当接点Ｔ）で当接して切欠き７１２ｎと係合することとなる。そして、支持部７は、切欠き７１２ｎに係合溝１１０ｍが係合されると、Ｙ方向およびＺ方向において移動が規制される。
【００６３】
また、腕部１１０は、支持部７を支持した状態でＹ方向、Ｚ方向、およびＸ方向に沿う軸を中心とする回転方向（Ｘθ方向）に移動可能に構成されている。つまり、腕部１１０に支持された支持部７は、腕部１１０が移動されることによって腕部１１０に追従して移動する。
【００６４】
引き続き、遊嵌状態の調整ユニットの位置の調整方法について説明する。
先ず、色合成光学装置４１を調整台の所定の位置に載せる。この調整台には、調整用の投写レンズが配置されている。
そして、保持部用治具の把持部にて保持部６の下方側端部を把持させ、調整ユニットを光入射側端面４１Ｎｇに対向する位置に配置する。
次に、保持部用治具で保持部６を把持した状態で、支持部用治具１００における腕部１１０の係合溝１１０ｍを支持部７の切欠き７１２ｎに係合させる。
【００６５】
そして、腕部１１０を色合成光学装置４１側に移動することにより支持部７を押圧し、支持部７のベース部７１０を光入射側端面４１Ｎｇに当接させる。この状態では、ベース部７１０と光入射側端面４１Ｎｇとは、未硬化のＵＶ接着剤を介して互いに密着した状態となる。
【００６６】
次に、調整用の投写面に投写された調整用の画像を確認しながら、保持部用治具の把持部を移動させることにより、前述した３方向（Ｘ方向、Ｙθ方向、Ｚθ方向）の調整（フォーカス調整）を行う。
フォーカス調整後に、第１支持部７１１と貫通孔６１ｈとの間との間に塗布されたＵＶ接着剤に紫外線を照射してＵＶ接着剤を硬化させ、保持部６を支持部７に固定する。
【００６７】
次に、把持部を保持部６から離間させ、支持部用治具１００の腕部１１０を移動させることにより、前述した３方向（Ｙ方向、Ｚ方向、Ｘθ方向）の調整（アライメント調整）を行う。
アライメント調整後、ベース部７１０と光入射側端面４１Ｎｇとの間のＵＶ接着剤に紫外線を照射してこのＵＶ接着剤を硬化させ、支持部７を色合成光学装置４１に固定する。
電気光学装置５０Ｂ，５０Ｒにおいても、電気光学装置５０Ｇと同様に、光変調装置５２の調整が行われる。
このように、各色光用の光変調装置５２は、保持部用治具および支持部用治具１００を用いて６軸方向（Ｘ方向、Ｙ方向、Ｚ方向、Ｘθ方向、Ｙθ方向、Ｚθ方向）において、位置が調整される。
【００６８】
〔光学装置の冷却空気の流れ〕
次に、冷却ファン８１から光学装置４に送風された冷却空気の流れについて説明する。
図１２は、光学装置４およびダクト部８２を上側（＋Ｚ側）から見た断面図である。なお、図１２は、冷却空気の流れを明確にするため、構成部材の一部を削除した図である。
【００６９】
冷却ファン８１から送風された冷却空気は、図１２に示すように、空気導入部８２１に導入され、一部が第１流路１０Ｆに向かい、残部が第２流路２０Ｆに向かう。
第１流路１０Ｆに向かった冷却空気は、電気光学装置５０Ｂの＋Ｘ側から電気光学装置５０Ｂ内に流入する。具体的に、第１流路１０Ｆに向かった冷却空気は、図１２に示すように、支持部７の＋Ｘ側の開口部７１２ａ、および支持部７の＋Ｘ側の延出部７１２と外周壁部８２２ａとの間から電気光学装置５０Ｂ内に流入する。
【００７０】
電気光学装置５０Ｂ内に流入した冷却空気は、各光学部品の表面（入射側偏光板５１の光射出側端面、光変調装置５２の表面５２Ｎ，５２Ｓ、射出側偏光板５４の光入射側端面、光射出側端面）上を流通し、これらの光学部品を冷却する。そして、これらの光学部品を冷却した空気は、電気光学装置５０Ｂの−Ｘ側、すなわち支持部７の−Ｘ側の開口部７１２ａ、および支持部７の−Ｘ側の延出部７１２と外周壁部８２２ａとの間から流出し、電気光学装置５０Ｇの−Ｙ側に向かう。また、第１流路１０Ｆは、Ｌ字状に屈曲されたような形状を有しているが、屈曲された部位に整流部８２２ｅが設けられているので、電気光学装置５０Ｂから流出する空気は、滑らかに電気光学装置５０Ｇに向かう。
【００７１】
電気光学装置５０Ｇの−Ｙ側に向かった空気は、電気光学装置５０Ｇの−Ｙ側、すなわち、支持部７の−Ｙ側の開口部７１２ａ、および支持部７の−Ｙ側の延出部７１２と外周壁部８２２ａとの間から電気光学装置５０Ｇ内に流入する。電気光学装置５０Ｇ内に流入した空気は、電気光学装置５０Ｂ内に流入した空気と同様に、各光学部品の表面上を流通し、これらの光学部品を冷却する。そして、これらの光学部品を冷却した空気は、電気光学装置５０Ｇの＋Ｙ側、すなわち、支持部７の＋Ｙ側の開口部７１２ａ、および支持部７の＋Ｙ側の延出部７１２と外周壁部８２２ａとの間から流出し、排出口１０Ｆｅからダクト部８２外に排出される。
【００７２】
このように、冷却装置８は、両側の開口部７１２ａのうちの一方の開口部７１２ａから他方の開口部７１２ａに冷却空気を流通させる。具体的に、冷却装置８は、電気光学装置５０Ｂにおいては、＋Ｘ側の開口部７１２ａから−Ｘ側の開口部７１２ａに冷却空気を流通させ、電気光学装置５０Ｇにおいては、−Ｙ側の開口部７１２ａから＋Ｙ側の開口部７１２ａに冷却空気を流通させる。そして、冷却ファン８１から送風された冷却空気の一部は、電気光学装置５０Ｂ、電気光学装置５０Ｇの順で流通し、電気光学装置５０Ｂ，５０Ｇが備える光学部品を冷却する。また、電気光学装置５０Ｂ，５０Ｇには、それぞれの側方から冷却空気の流入、流出が行われる。
【００７３】
第２流路２０Ｆに向かった冷却空気は、電気光学装置５０Ｒの下側（−Ｚ側）から電気光学装置５０Ｒ内に流入する。電気光学装置５０Ｒ内に流入した冷却空気は、各光学部品の表面上を流通し、これらの光学部品を冷却する。そして、これらの光学部品を冷却した空気は、電気光学装置５０Ｒの上側（＋Ｚ側）からダクト部８２外に排出される（図５参照）。
このように、電気光学装置５０は、支持部７が支持本体部７１および支持補助部７２を備え、左右方向、および上下方向に冷却空気が流通可能に構成されている。
そして、第１流路１０Ｆおよび第２流路２０Ｆから排出された空気は、前述した排気ファン（図示省略）によって外装筐体２の排気口（図示省略）から外装筐体２の外部に排出される。
【００７４】
以上説明したように、本実施形態によれば、以下の効果を得ることができる。
（１）光変調装置５２は、６軸方向（Ｘ方向、Ｙ方向、Ｚ方向、Ｘθ方向、Ｙθ方向、Ｚθ方向）において、位置が調整されるので、高精度の配置が可能となる。
また、プロジェクター１は、電気光学装置５０Ｂ，５０Ｒの側方からこの順に冷却空気を流通させるように構成されている。これによって、第１方向（Ｚ方向）における冷却装置８の小型化、ひいてはプロジェクター１の小型を図りつつ、光変調装置５２の冷却が可能となる。
したがって、高画質な画像を投写すると共に、小型で光変調装置５２を適切に冷却できるプロジェクター１の提供が可能となる。
【００７５】
（２）開口部７１２ａは、光学素子の両側にも設けられているので、光変調装置５２に加え、光学素子にも側方から冷却空気を流通させることができる。よって、光変調装置５２および射出側偏光板５４を適切に冷却し、小型のプロジェクター１を提供することが可能となる。
【００７６】
（３）電気光学装置５０は、支持部７が第２方向、および第１方向（上下方向）に冷却空気を流通可能に構成されている。これによって、冷却空気を側方から流通させる電気光学装置５０Ｂ，５０Ｇ、および冷却空気を下方から流通させる電気光学装置５０Ｒにおいて、共通の支持部７を用いることができる。よって、部品製造の合理化やプロジェクター１製造の簡素化が可能となる。
【００７７】
（第２実施形態）
以下、第２実施形態に係るプロジェクターについて、図面を参照して説明する。以下の説明では、第１実施形態と同様の構成要素には、同一符号を付し、その詳細な説明は省略または簡略化する。
本実施形態のプロジェクター（図示省略）におけるＧ光用の電気光学装置１５０Ｇは、第１実施形態の電気光学装置５０Ｇが備える支持本体部７１とは形状が異なる支持本体部１７１を備えている。電気光学装置１５０Ｇの支持部１７は、この支持本体部１７１および支持補助部７２を備えている。
【００７８】
図１３は、電気光学装置１５０Ｇの部分斜視図である。
図１３に示すように、本実施形態の支持本体部１７１は、第１実施形態の支持本体部７１には設けられていない架橋部１７１ａおよび突出部１７１ｂを有している。
架橋部１７１ａおよび突出部１７１ｂは、一対の延出部１７１２のうちの一方、具体的には、冷却ファン８１から送風された空気が流入する側（−Ｙ側）の延出部１７１２に設けられている。
【００７９】
架橋部１７１ａは、第１実施形態における開口部７１２ａの上縁と下縁とを繋ぐように形成されている。この架橋部１７１ａが設けられることにより、−Ｙ側の延出部１７１２には、第１の開口部１７１２ａおよび第２の開口部１７１２ｂが設けられることとなる。第１の開口部１７１２ａおよび第２の開口部１７１２ｂは、Ｚ方向（第１方向）およびＹ方向（第２方向）に直交するＸ方向（第３方向）において、色合成光学装置４１から遠ざかる方向に順次併設されている。
【００８０】
突出部１７１ｂは、第１の開口部１７１２ａ内に突出し、電気光学装置１５０Ｇの側方（−Ｙ側）から流入する空気をより効率的に射出側偏光板５４に導くように形成されている。具体的に、突出部１７１ｂは、架橋部１７１ａの＋Ｘ側端部から＋Ｘ方向に突出しており、Ｚ方向に沿って複数設けられている。すなわち、突出部１７１ｂは、第１の開口部１７１２ａの色合成光学装置４１側とは反対側の縁部から色合成光学装置４１に向かって突出している。また、突出部１７１ｂは、光変調装置５２側に屈曲されている。
【００８１】
図１４は、突出部１７１ｂの位置、および突出部１７１ｂによる空気の流れを説明するための図である。
突出部１７１ｂは、図１４に示すように、射出側偏光板５４と光入射側端面４１Ｎｇとの間に向かって屈曲している。また、突出部１７１ｂは、内面側（射出側偏光板５４側）が面押し加工され、板厚が支持本体部１７１における他の部位より薄く形成されている。
【００８２】
図１４に示すように、電気光学装置５０Ｂの−Ｘ側から流出した空気の一部は、突出部１７１ｂによって電気光学装置１５０Ｇの第１の開口部１７１２ａから流入する。第１の開口部１７１２ａから流入した空気は、突出部１７１ｂの両側で流れが異なり、光入射側端面４１Ｎｇと射出側偏光板５４との間には、圧力が高まる領域（高圧力領域Ｈａ）と、圧力が低くなる領域（低圧力領域Ｌａ）とが生じる。高圧力領域Ｈａは、突出部１７１ｂと光入射側端面４１Ｎｇとの間に生じ、低圧力領域Ｌａは、突出部１７１ｂと射出側偏光板５４との間に生じる。
【００８３】
そして、第１の開口部１７１２ａから流入した空気は、低圧力領域側に引っ張られることによって、より急角度で射出側偏光板５４に送風される。すなわち、第１の開口部１７１２ａから流入した空気は、より多く射出側偏光板５４の表面（光射出側の面）に向かうこととなる。また、突出部１７１ｂに衝突した空気は、突出部１７１ｂの板厚が他の部位より薄く形成されているので、乱れが抑制される。
【００８４】
このように、第１流路１０Ｆにおいて、電気光学装置５０Ｂの下流で、また、電気光学装置５０Ｂが配置された領域に対して屈曲された領域に配置された電気光学装置１５０Ｇであっても、支持部１７が突出部１７１ｂを有しているので、電気光学装置５０Ｂから流出した空気の一部を効率よく射出側偏光板５４に導くことが可能となる。
【００８５】
以上説明したように、本実施形態によれば、以下の効果を得ることができる。
（１）電気光学装置１５０Ｇは、支持部１７が上述した突出部１７１ｂを有しているので、射出側偏光板５４がより効率良く冷却される。
【００８６】
（２）突出部１７１ｂは、板厚が他の部位より薄く形成され、空気の乱れが抑制されるので、より効率的に空気を射出側偏光板５４に向かわせることが可能となる。
【００８７】
（３）突出部１７１ｂは、延出部１７１２と一体的に形成されているので、容易な製造が可能となる。
【００８８】
（変形例）
なお、前記実施形態は、以下のように変更してもよい。
第１実施形態における延出部７１２に相当する部位を有さず、治具が係止できる形状を第１支持部が有するように支持部を形成してもよい。
図１５は、この変形例における支持部２７を備えたＧ光用の電気光学装置２５０Ｇを示す斜視図である。
この支持部２７における支持本体部２７１は、図１５に示すように、支持本体部７１の第１支持部７１１とは形状が異なる第１支持部２７１１を備える。
第１支持部２７１１は、保持部６の２つの縦長の貫通孔６１ｈにそれぞれ挿通される第１支持部２７１１ｕａ，２７１１ｕｂ、および保持部６の２つの横長の貫通孔６１ｈにそれぞれ挿通される第１支持部２７１１ｄａ，２７１１ｄｂを有している。
第１支持部２７１１ｕａと第１支持部２７１１ｄｂとは、対角に位置し、先端に向かうほど細くなる傾斜面を有している。治具（図示省略）は、第１支持部２７１１ｕａおよび第１支持部２７１１ｄｂの傾斜面に係合するように形成され、アライメント調整は、この治具が移動されることにより行われる。
この構成の場合、Ｙ方向（第２方向）において、光変調装置５２の両側に形成される開口部２７１２は、第１支持部２７１１ｕａと第１支持部２７１１ｄａとの間、および第１支持部２７１１ｕｂと第１支持部２７１１ｄｂとの間に設けられることとなる。
【００８９】
前記実施形態の支持部７は、支持本体部７１と別体に形成された支持補助部７２を備えているが、支持補助部７２を備えない構成であってもよい。例えば、支持本体部７１の上下の端部を屈曲させ、この屈曲された部位に射出側偏光板を固定するように構成してもよい。この構成の場合、屈曲された部位が第２支持部に相当することとなる。
【００９０】
前記実施形態では、３つの電気光学装置５０Ｒ，５０Ｇ，５０Ｂのうち、２つの電気光学装置５０Ｂ，５０Ｇに対し、冷却空気が側方から流通するように構成されているが、電気光学装置５０Ｒ，５０Ｇに対し、冷却空気が側方から流通するように構成されてもよい。また、３つの電気光学装置５０Ｒ，５０Ｇ，５０Ｂ全てにおいて側方から順に冷却空気が流通する態様であってもよい。
【００９１】
前記第２実施形態における突出部１７１ｂは、射出側偏光板５４と光入射側端面４１Ｎｇとの間に向かって屈曲しているが、ガラス板５４Ｐと光変調装置５２との間に向かって屈曲する突出部を設ける構成であってもよい。
【００９２】
前記実施形態では、射出側偏光板５４を備えた部材が光学素子として構成されているが、射出側偏光板５４以外の光学部品、例えば、光変調装置５２から射出された光の位相差を補償する補償素子や位相差板等を有する部材を光学素子として構成してもよい。
【００９３】
前記実施形態の色合成光学装置４１は、光透過基板４１２を備えているが、光透過基板４１２を備えない構成であってもよい。
【００９４】
前記実施形態の複数の電気光学装置５０は、射出側偏光板５４が色合成光学装置４１から離間して配置されているが、射出側偏光板５４が色合成光学装置４１に貼りつけられた電気光学装置５０を備える構成であってもよい。
【００９５】
前記実施形態のプロジェクター１は、光変調装置５２が透過型の液晶パネルを備えていているが、反射型の液晶パネルを備える構成であってもよい。
また、前記実施形態のプロジェクター１は、Ｒ光、Ｇ光、およびＢ光に対応する３つの光変調装置５２を用いるいわゆる３板方式を採用しているが、これに限らず、単板方式を採用してもよく、あるいは、２つまたは４つ以上の光変調装置を備えるプロジェクターにも適用できる。
【００９６】
前記実施形態の光源装置３１は、放電型の光源３１１を採用しているが、その他の方式の光源や発光ダイオード、レーザー等の固体光源で構成してもよい。
【符号の説明】
【００９７】
１…プロジェクター、６…保持部、７，１７，２７…支持部、８…冷却装置、１０Ｆ…第１流路、１０Ｆｅ…排出口、２０Ｆ…第２流路、４１…色合成光学装置、４１Ｎｂ，４１Ｎｇ，４１Ｎｒ…光入射側端面、５２…光変調装置、５４…射出側偏光板（光学素子）、５４Ｐ…ガラス板（光学素子）、７１，１７１，２７１…支持本体部、７２…支持補助部、８１…冷却ファン、８２…ダクト部、１００…支持部用治具、１７１ｂ…突出部、３１１…光源、４１１…クロスダイクロイックプリズム、４１２…光透過基板、７１０…ベース部、７１１，７１１ｄ，７１１ｕ，２７１１，２７１１ｄａ，２７１１ｄｂ，２７１１ｕａ，２７１１ｕｂ…第１支持部、７１２，１７１２…延出部、７１２ａ，２７１２…開口部、７２３…サイド枠部（第２支持部）、１７１２ａ…第１の開口部、１７１２ｂ…第２の開口部。
【図１】
2018017961.tif 000003
【図２】
2018017961.tif 000004
【図３】
2018017961.tif 000005
【図４】
2018017961.tif 000006
【図５】
2018017961.tif 000007
【図６】
2018017961.tif 000008
【図７】
2018017961.tif 000009
【図８】
2018017961.tif 000010
【図９】
2018017961.tif 000011
【図１０】
2018017961.tif 000012
【図１１】
2018017961.tif 000013
【図１２】
2018017961.tif 000014
【図１３】
2018017961.tif 000015
【図１４】
2018017961.tif 000016
【図１５】
2018017961.tif 000017